(57)【要約】【課題】本発明は、容易に発光素子を搭載した本体部が交換可能な水中表示装置を提供する。【解決手段】基板７に搭載したＬＥＤ６を導通接続する中継線８で接続された基板側コネクタ９と、基板７と基板側コネクタ９を収容したケース４と、ケース４に備えたケーブルグランド５とで構成された本体部２と、ケーブルグランド５に挿通しケーブル側コネクタ２６に引出し部２５で接続されたケーブル３で構成された水中表示装置であって、基板側コネクタ９とケーブル側コネクタ２６が接続され、ケーブル側コネクタ２６は、ケーブルグランド５の管内を挿通可能な大きさであることを特徴とする水中表示装置。【選択図】  図５
2005024947.tif 000002
【特許請求の範囲】
【請求項１】
発光素子を搭載した基板と、前記基板に中継線を介して接続された基板側コネクタと、前記基板と前記基板側コネクタを収容するケースと、前記ケースに備えたケーブル固定部とで構成された本体部と、前記ケーブル固定部に挿通しケーブル側コネクタに引出し部を介して接続されたケーブルで構成され、前記基板側コネクタと前記ケーブル側コネクタが接続された水中表示装置であって、前記ケーブル側コネクタは、前記引出し部と接続した状態で、前記ケーブル固定部の管内を挿通可能な大きさであることを特徴とする水中表示装置。
【請求項２】
前記ケーブル側コネクタが複数となる場合に、前記ケーブル側コネクタは、それぞれの前記引出し部を直線状に配置したときに、隣接する前記ケーブル側コネクタに当接しないように設けられていることを特徴とする請求項１記載の水中表示装置。
【請求項３】
前記発光素子は、複数色を１組として前記基板に複数組配設したことを特徴とする請求項１または２記載の水中表示装置。
【発明の詳細な説明】
【０００１】
【発明の属する技術分野】
プールなどの水中に設置され、案内などを表示する水中表示装置に関する。
【０００２】
【従来の技術】
最近のＬＥＤは、高輝度化に伴い照明装置やガイド等の案内表示するための表示装置の光源として用いられるようになってきた。特にＬＥＤを使用した照明装置や表示装置は、様々な場所や用途で用いられており、ＬＥＤは電球や蛍光灯と比較して壊れ難いため、交換作業のしづらい水中で使用される表示装置の光源として最適である。
【０００３】
例えば、ＬＥＤを用い浴槽内の水中に没する部位に設けた照明装置が特許文献１に記載されている。
【０００４】
また、光源としてＬＥＤではなく電球を用いているが、電球の交換容易な構造を持つ照明装置が特許文献２に記載されている。
【０００５】
【特許文献１】
特開２００１−１７３２４９号公報  （段落番号０００３）
【特許文献２】
特開平８−９６６１１号公報  （段落番号００２１−００２６）
【０００６】
【発明が解決しようとする課題】
照明装置や表示装置では、表示の内容の変更や、光源色の変更の要望があった場合に、装置の本体部からケーブルを外し、ケーブルに接続されている本体部のみを交換する必要がある。
【０００７】
特許文献１に記載の照明装置では、ＬＥＤの色や表示内容を変更しようとした場合、ＬＥＤの点灯が直接ケーブルと接続しているため、表示をするＬＥＤを搭載した本体部が容易に交換できない構造となっている。
【０００８】
また、特許文献２に記載の照明装置においても、電球にケーブルの電源線が直接接続した構造であるため、同様に本体部からケーブルを外し、本体部の交換をするには困難が想定される。
【０００９】
従って、本発明は、容易に発光素子を搭載した本体部が交換可能な水中表示装置を提供する。
【００１０】
【課題を解決するための手段】
この課題を解決するために本発明は、発光素子を搭載した基板と、前記基板に中継線を介して接続された基板側コネクタと、前記基板と前記基板側コネクタを収容するケースと、前記ケースに備えたケーブル固定部とで構成された本体部と、前記ケーブル固定部に挿通しケーブル側コネクタに引出し部を介して接続されたケーブルで構成された水中表示装置で、前記ケーブル側コネクタは、前記引出し部と接続した状態で、前記ケーブル固定部の管内を挿通可能な大きさとしたものである。
【００１１】
これにより、本体部からケーブルを抜く際に、ケーブル先端に接続されているケーブル側コネクタを、ケーブル固定部を挿通させて抜き取ることができるので、容易に本体部とケーブルを脱着することができ、容易に本体部の交換が可能である。
【００１２】
【発明の実施の形態】
本願の請求項１に記載の発明は、発光素子を搭載した基板と、前記基板に中継線を介して接続された基板側コネクタと、前記基板と前記基板側コネクタを収容するケースと、前記ケースに備えたケーブル固定部とで構成された本体部と、前記ケーブル固定部に挿通しケーブル側コネクタに引出し部を介して接続されたケーブルで構成され、前記基板側コネクタと前記ケーブル側コネクタが接続された水中表示装置であって、前記ケーブル側コネクタは、前記引出し部と接続した状態で、前記ケーブル固定部の管内を挿通可能な大きさであることを特徴とする水中表示装置としたものであり、これにより、本体部からケーブルを抜く際に、ケーブル先端に接続されているケーブル側コネクタを、ケーブル固定部を挿通させて抜き取ることができるので、容易に本体部とケーブルを脱着することができる。
【００１３】
請求項２に記載の発明は、前記ケーブル側コネクタが複数となる場合に、前記ケーブル側コネクタは、それぞれの前記引出し部を直線状に配置したときに、隣接する前記ケーブル側コネクタに当接しないように設けられていることを特徴とする請求項１記載の水中表示装置としたものであり、これにより、ケーブル側コネクタが複数となった場合でも、ケーブルからの引出し部をそれぞれ異なる長さとすることで、ケーブル側コネクタをケーブル固定部に挿通させて抜き取る際に、ケーブルが重なりあうことがない。
【００１４】
請求項３に記載の発明は、前記発光素子は、複数色を１組として前記基板に複数組配設したことを特徴とする請求項１または２記載の水中表示装置としたものであり、これにより、表示内容に応じて発光色を切り替えたり、同時に発光させて混合色を発生させたりすることが可能となる。
【００１５】
（実施の形態）
本発明の実施の形態に係る水中表示装置について、図１から図５に基づいて説明する。
【００１６】
図１は、本発明の実施の形態に係る水中表示装置の平面図、図２は水中表示装置の側面図、図３は水中表示装置の底面図、図４は裏カバーを開けた水中表示装置の底面図、図５は水中表示装置の側断面図である。
【００１７】
図１から図５において、水中表示装置１は、本体部２と、本体部２に接続されたケーブル３とで構成される。水中表示装置１は、表示内容を指示する制御装置（図示せず）とケーブル３にて接続され水中に設置される。
【００１８】
本体部２は、ケース４と、ケース４に螺合したケーブル固定部であるケーブルグランド５と、ＬＥＤ６を搭載した基板７と、基板７から中継線８にて接続する基板側コネクタ９とで構成されている。
【００１９】
ケース４は、平面視して略円形状の本体表示部１０と略矩形状の本体接続部１１が一体的に接続された形状であり、金属をダイキャストにて形成され、例えばアルミや亜鉛にメッキを施して耐腐食性を高くしている。
【００２０】
本体表示部１０は、表面側にＬＥＤ６の表示内容を視認するため透明部材で形成された表示カバー１２がネジで固定されている。
【００２１】
表示カバー１２は、略円板状をしており、円周部をゴムパッキン１３で覆われ、例えば、アクリル製または強化ガラスで形成され、上部より円形をした表示カバー保持板３３で９０°ごとに４個のネジにより固定されている。
【００２２】
本体接続部１１は、裏面側に基板側コネクタ９の抜き差しをするため略矩形状した穴である取出し部１４が形成され、裏カバー１５が蓋の役目をしている。
【００２３】
裏カバー１５は、略矩形状のステンレス製であり、本体接続部１１底面の取出し部１４に、ゴムパッキン１６を介して各四隅をネジで固定している。
【００２４】
ケーブルグランド５は、本体接続部１１にシール１７を挿通して螺合された接続部１８と、ケーブル３の挿入側の管内に配設されたシール１９およびツメ２０と、ケーブル３を固定するナット２１から構成される。接続部１８とナット２１はナイロン（商標）製である。
【００２５】
ナット２１は、内部にテーパ部２２が形成され、接続部１８にねじ込むことで、テーパ部２２が凸部２３を有するツメ２０を押し、凹部２４を有するシール１９を押し込むことで、シール１９部がケーブル３と密着し、水の浸入を防止する。
【００２６】
基板７は、略円板状をしたガラスエポキシ製の樹脂で形成され、３色のＬＥＤ６を搭載しており、基板７の中心部に１個のネジでケース４に固定されている。基板７は、ＬＥＤ６をプリント配線にて中継線８と導通接続し、裏面、表面とも耐水性とするために、例えば、シリコンの樹脂３４でコーティングしている。
【００２７】
ＬＥＤ６は、赤色、青色、緑色の３色を一組として１５組、合計４５個が配設され、各表示内容に応じて点灯する。
【００２８】
ケーブル３は、ケーブルグランド５に挿通されケーブル先端から引き出された引出し部２５にてケーブル側コネクタ２６に接続されている。
【００２９】
ケーブル側コネクタ２６と基板側コネクタ９は、嵌合して掛止する機構により、簡単に抜けないようになっている。基板側コネクタ９とケーブル側コネクタ２６が接続状態となることで、ケーブル３の信号を基板７へ通知し、ＬＥＤ６の各色の点灯、消灯をさせる。
【００３０】
基板側コネクタ９は、基板７のＬＥＤ６には赤色用信号、青色用信号、緑色用信号およびグランドである共通信号の合計４本の中継線８が必要であり、基板側コネククタ９は、１個あたり２つの信号の接続が可能なので、第１基板側コネクタ２７と第２基板側コネクタ２８の２個のコネクタが使用されている。従って、ケーブル３側も同様に第１ケーブル側コネクタ２９、第２ケーブル側コネクタ３０を備えており、ケーブル３は引出し部２５を４本備え、２本ずつ第１引出し部３１と第２引出し部３２とし、第１ケーブル側コネクタ２９は第１引出し部３１にて、第２ケーブル側コネクタ３０は第２引出し部３２にてケーブル３と接続されている。
【００３１】
第１引出し部３１と第２引出し部３２は、ケーブル３からそれぞれ異なる長さとしている。つまり、第２引出し部３２の長さは、第１引出し部３１の長さと第１ケーブル側コネクタ２９の長さの和以上とすることにより、重なりあうことが防止できるので、ケーブルグランド５の管内を、第１ケーブル側コネクタ２９と第２ケーブル側コネクタ３０が挿通可能となる。
【００３２】
以上のように構成された水中表示装置において、使用方法を以下に説明する。
【００３３】
プール等の水中に設置された水中表示装置１の本体部を交換する場合は、まず、本体部２からケーブル３を取り外す必要があるため、その取り外し方法から説明をする。
【００３４】
本体部２を水上まで持ち上げる。次に、裏カバー１５を固定しているネジ４個を外し、嵌合している基板側コネクタ９とケーブル側コネクタ２６を取出し部１４より取出す。基板側コネクタ９からケーブル側コネクタ２６を抜き、ナット２１をケーブル３側から本体部２側に見て反時計回りに回動させ、ナット２１をケーブルグランド５の接続部１８から取り外す。
【００３５】
最後にケーブル３を引き抜くが、まずは、ケーブル３を引きながら、第１ケーブル側コネクタ２９がケーブルグランド５の接続部１８の開口部まできたところで、第１ケーブル側コネクタ２９を管内へ挿入する。引き続き、ケーブル３を引き、第２ケーブル側コネクタ３０が接続部１８の開口部まできたところで、第２ケーブル側コネクタ３０を管内へ挿入する。そして、ケーブル３を引くと、ケーブル３をケーブルグランド５から引き抜くことができ、ケーブル３と本体部２を分離できる。この状態では、ナット２１はケーブル３に挿通したままである。
【００３６】
次に、交換する新しい本体部２をケーブル３に取り付ける方法を説明する。
【００３７】
まず、新しい本体部２の第１基板側コネクタ２７と第２基板側コネクタ２８をそれぞれ取出し部１４より引き出しておく。
【００３８】
次に、ケーブル３を本体部２に近寄せ、第２ケーブル側コネクタ３０をケーブルグランド５の接続部１８に挿入する。第２ケーブル側コネクタ３０が本体接続部１１内の接続部１８から出たところで、取出し部１４より第２ケーブル側コネクタ３０を取出し、第２基板側コネクタ２８と嵌合させ接続する。
【００３９】
同様に、第１ケーブル側コネクタ２９を接続部１８に挿入し、第１ケーブル側コネクタ２９が本体接続部１１内の接続部１８から出たところで、取出し部１４より第１ケーブル側コネクタ２９を取出し、第１基板側コネクタ２７と嵌合させ接続する。
【００４０】
ケーブル３をケーブルグランド５の接続部１８に押し込み、第１引出し部３１と第２引出し部３２が、本体接続部１１に収容されたところで、ナット２１を接続部１８に時計回りに回動させ螺合させるとともにケーブル３を本体接続部１１に固定する。
【００４１】
最後に、接続した基板側コネクタ９とケーブル側コネクタ２６と本体接続部１１に収容させ、裏カバー１５を４つのネジで本体接続部１１の取出し部１４に固定し、水中表示装置１をプール等に水没させる。
【００４２】
以上のような手順で、容易に本体部とケーブルが脱着できる。
【００４３】
３色のＬＥＤをそれぞれ１本の信号線で制御する構成としたが、それぞれのＬＥＤの信号線を基板上にパターン配線し、基板側コネクタおよびケーブル側コネクタの接続信号線をＬＥＤ個数分持たせ、ケーブルにその本数分の信号線を設け、制御装置にて制御することで、１個のＬＥＤごとの制御が可能な水中表示装置とすることも可能である。この場合、２個の基板側コネクタおよび２個のケーブル側コネクタからそれぞれ３個以上のコネクタとなることが想定される。
【００４４】
図６に、一例としてケーブル側コネクタが３個になった場合のケーブル３を示す。第１，２引出し部と第１，２コネクタ側ケーブルは同一番号を付している。
【００４５】
図６において、３本目のケーブル側コネクタ３５は、ケーブル３に第３引出し部３６によって接続されている。第１引出し部３１、第２引出し部３２および第３引出し部３６を直線状に配置した場合、第１ケーブル側コネクタ２９、第２ケーブル側コネクタ３０および第３ケーブル側コネクタ３５がそれぞれ当接しないように、それぞれのケーブル側コネクタは設けられている。
【００４６】
より詳細に説明すると、第１引出し部３１の長さをＬ１、第１ケーブル側コネクタ２９の長さをＬ２、第２引出し部３２の長さをＬ３、第２ケーブル側コネクタ３０の長さをＬ４、第３引出し部３６の長さをＬ５とする。
【００４７】
この場合において、それぞれの引出し部の長さの関係は、第２引出し部の長さＬ３は、第１引出し部Ｌ１の長さと第１ケーブル側コネクタの長さＬ２の和以上とし、第２引出し部Ｌ３と第２ケーブル側コネクタＬ４の長さの和は、第３引出し部の長さＬ５以下とする。式で表すとＬ１＋Ｌ２≦Ｌ３、Ｌ３＋Ｌ４≦Ｌ５となる。
【００４８】
このように、それぞれの引出し部の長さを、上述した式の関係とすることで、ケーブルグランド５からケーブル３を抜き取る際に、ケーブル側コネクタ同士が当接しないため、ケーブル側コネクタをケーブルグランド５に挿通させる際に重なりあわないので、ケーブルグランド５から１個ずつケーブル側コネクタを抜き取ることができるので、容易に本体部とケーブルの脱着が可能となる。
【００４９】
また、異なる種類のケーブル側コネクタを組み合わせて使用しても、引出し部を直線状に配置したときに、隣接するケーブル側コネクタを当接しないように設けることで、ケーブル側コネクタ同士が重なりあわず、ケーブル側コネクタを１個ずつケーブルグランド５に挿通させることができる。
【００５０】
【発明の効果】
以上に述べたように、本発明によれば、本体部からケーブルを抜く際に、ケーブル先端に接続されているケーブル側コネクタを、ケーブル固定部を挿通させて抜き取ることができるので、容易に本体部とケーブルを脱着することができる。
【００５１】
複数のケーブル側コネクタとなった場合でも、それぞれの引出し部をケーブル側コネクタが当接しないように異なる長さとすることで、ケーブル側コネクタ同士が、重なりあわず、ケーブル側コネクタを１個ずつケーブル固定部に挿通させることができるので、容易に本体部とケーブルの脱着が可能となる。また、引出し部の長さを余分に長くする必要がないので、引出し部を収納する本体部を小さいものとすることができる。
【００５２】
また、基板に搭載する発光素子を、複数色を１組として前記基板に複数組配設したことにより、表示内容に応じて発光色を切り替えたり、同時に発光させて混合色を発生させたりすることが可能で、本体部とケーブルが脱着容易な水中表示装置となる。
【図面の簡単な説明】
【図１】本発明の実施の形態に係る水中表示装置の平面図
【図２】本発明の実施の形態に係る水中表示装置の側面図
【図３】本発明の実施の形態に係る水中表示装置の底面図
【図４】本発明の実施の形態に係る裏カバーを開けた水中表示装置の底面図
【図５】本発明の実施の形態に係る水中表示装置の側断面図
【図６】ケーブル側コネクタが３個になった場合のケーブルを示す図
【符号の説明】
１  水中表示装置
２  本体部
３  ケーブル
４  ケース
５  ケーブルグランド
６  ＬＥＤ
７  基板
８  中継線
９  基板側コネクタ
１０  本体表示部
１１  本体接続部
１２  表示カバー
１３  ゴムパッキン
１４  取出し部
１５  裏カバー
１６  ゴムパッキン
１７  シール
１８  接続部
１９  シール
２０  ツメ
２１  ナット
２２  テーパ部
２３  凸部
２４  凹部
２５  引出し部
２６  ケーブル側コネクタ
２７  第１基板側コネクタ
２８  第２基板側コネクタ
２９  第１ケーブル側コネクタ
３０  第２ケーブル側コネクタ
３１  第１引出し部
３２  第２引出し部
３３  表示カバー保持板
３４  樹脂
３５  第３ケーブル側コネクタ
３６  第３引出し部
【図１】
2005024947.tif 000003
【図２】
2005024947.tif 000004
【図３】
2005024947.tif 000005
【図４】
2005024947.tif 000006
【図５】
2005024947.tif 000007
【図６】
2005024947.tif 000008